(57)【特許請求の範囲】
【請求項１】
下記を具備する、多入力多出力（ＭＩＭＯ）通信において復調基準信号（ＤＭ−ＲＳ）を多重化するための方法：
複数のレイヤを通じてＤＭ−ＲＳを送信するための巡回シフト（ＣＳ）インデックスを受信すること；
前記ＣＳインデックスに少なくとも部分的に基づいて、前記ＤＭ−ＲＳの各々を送信するためのＣＳ値および直交カバー符号（ＯＣＣ）を決定すること；および
前記ＣＳ値および前記ＯＣＣにしたがって、前記ＤＭ−ＲＳを送信すること、
ここで、前記ＣＳ値および前記ＯＣＣのうちの少なくとも１つは、さらに、１または複数のより上位のレイヤから受信される設定されたＣＳ値に少なくとも部分的に基づいて決定される。
【請求項２】
設定されたＣＳ値を受信することをさらに具備し、前記ＯＣＣを決定することはさらに、前記設定されたＣＳ値に少なくとも部分的に基づく、請求項１に記載の方法。
【請求項３】
前記ＯＣＣを決定することは、前記複数のレイヤのうちの少なくとも１つを通じた前記ＤＭ−ＲＳのうちの少なくとも１つについて異なるＯＣＣを決定することを含む、請求項１に記載の方法。
【請求項４】
前記ＯＣＣを決定することは、前記ＤＭ−ＲＳについて同じＯＣＣを決定することを含む、請求項１に記載の方法。
【請求項５】
前記ＣＳ値を決定することは、前記ＣＳインデックスまたは前記複数のレイヤの数に対応する予め定義されたルールに少なくとも部分的に基づく、請求項１に記載の方法。
【請求項６】
下記を具備する、多入力多出力（ＭＩＭＯ）通信において復調基準信号（ＤＭ−ＲＳ）を多重化するための装置：
少なくとも１つのプロセッサであって、
複数のレイヤを通じてＤＭ−ＲＳを送信するための巡回シフト（ＣＳ）インデックスを取得し、
前記ＣＳインデックスに少なくとも部分的に基づいて、前記ＤＭ−ＲＳの各々を送信するためのＣＳ値および直交カバー符号（ＯＣＣ）を決定し、
前記ＣＳ値および前記ＯＣＣにしたがって前記ＤＭ−ＲＳを送信する
ように構成された少なくとも１つのプロセッサ；および
前記少なくとも１つのプロセッサに結合されたメモリ、
ここで、前記ＣＳ値および前記ＯＣＣのうちの少なくとも１つは、さらに、１または複数のより上位のレイヤから受信される設定されたＣＳ値に少なくとも部分的に基づいて決定される。
【請求項７】
前記少なくとも１つのプロセッサはさらに、設定されたＣＳ値を取得するように構成され、前記少なくとも１つのプロセッサは、前記設定されたＣＳ値にさらに少なくとも部分的に基づいて前記ＯＣＣを決定する、請求項６に記載の装置。
【請求項８】
前記少なくとも１つのプロセッサは、少なくとも部分的に、前記複数のレイヤのうちの少なくとも１つを通じた前記ＤＭ−ＲＳのうちの少なくとも１つについて異なるＯＣＣを決定することによって前記ＯＣＣを決定する、請求項６に記載の装置。
【請求項９】
前記少なくとも１つのプロセッサは、少なくとも部分的に、前記複数のレイヤのうちの少なくとも１つを通じた前記ＤＭ−ＲＳのうちの少なくとも１つについて同じＯＣＣを決定することによって前記ＯＣＣを決定する、請求項６に記載の装置。
【請求項１０】
前記少なくとも１つのプロセッサは、前記ＣＳインデックスまたは前記複数のレイヤの数に対応する予め定義されたルールにさらに少なくとも部分的に基づいて前記ＣＳ値を決定する、請求項６に記載の装置。
【請求項１１】
下記を具備する、多入力多出力（ＭＩＭＯ）通信において復調基準信号（ＤＭ−ＲＳ）を多重化するための装置：
複数のレイヤを通じてＤＭ−ＲＳを送信するための巡回シフト（ＣＳ）インデックスを受信する手段；
前記ＣＳインデックスに少なくとも部分的に基づいて、前記ＤＭ−ＲＳの各々を送信するためのＣＳ値を決定する手段；
前記ＣＳインデックスに少なくとも部分的に基づいて、前記ＤＭ−ＲＳの各々を送信するための直交カバー符号（ＯＣＣ）を決定する手段；および
前記ＣＳ値および前記ＯＣＣにしたがって前記ＤＭ−ＲＳを送信する手段、
ここで、前記ＣＳ値および前記ＯＣＣのうちの少なくとも１つは、さらに、１または複数のより上位のレイヤから受信される設定されたＣＳ値に少なくとも部分的に基づいて決定される。
【請求項１２】
設定されたＣＳ値を取得する手段をさらに具備し、前記ＯＣＣを決定する手段は、前記設定されたＣＳ値にさらに少なくとも部分的に基づいて前記ＯＣＣを決定する、請求項１１に記載の装置。
【請求項１３】
前記ＯＣＣを決定する手段は、前記複数のレイヤのうちの少なくとも１つに関する前記ＤＭ−ＲＳのうちの少なくとも１つについて異なるＯＣＣを決定する、請求項１１に記載の装置。
【請求項１４】
前記ＯＣＣを決定する手段は、前記ＤＭ−ＲＳについて同じＯＣＣを決定する、請求項１１に記載の装置。
【請求項１５】
前記ＣＳ値を決定する手段は、前記ＣＳインデックスまたは前記複数のレイヤの数に対応する予め定義されたルールに少なくとも部分的に基づいて前記ＤＭ−ＲＳの各々を送信するための前記ＣＳ値を導出する、請求項１１に記載の装置。
【請求項１６】
下記を具備する、多入力多出力（ＭＩＭＯ）通信において復調基準信号（ＤＭ−ＲＳ）を多重化するコンピュータプログラム：
少なくとも１つのコンピュータに、複数のレイヤを通じてＤＭ−ＲＳを送信するための巡回シフト（ＣＳ）インデックスを取得させる命令群；
前記少なくとも１つのコンピュータに、前記ＣＳインデックスに少なくとも部分的に基づいて、前記ＤＭ−ＲＳの各々を送信するためのＣＳ値および直交カバー符号（ＯＣＣ）を決定させる命令群；および
前記少なくとも１つのコンピュータに、前記ＣＳ値および前記ＯＣＣにしたがって、前記ＤＭ−ＲＳを送信させるための命令群、
ここで、前記ＣＳ値および前記ＯＣＣのうちの少なくとも１つは、さらに、１または複数のより上位のレイヤから受信される設定されたＣＳ値に少なくとも部分的に基づいて決定される。
【請求項１７】
前記少なくとも１つのコンピュータに、設定されたＣＳ値を取得させる命令群をさらに具備し、前記少なくとも１つのコンピュータに決定させる命令群は、前記設定されたＣＳ値にさらに少なくとも部分的に基づいて前記ＯＣＣを決定する、請求項１６に記載のコンピュータプログラム。
【請求項１８】
前記少なくとも１つのコンピュータに決定させる命令群は、少なくとも部分的に、前記複数のレイヤのうちの少なくとも１つを通じた前記ＤＭ−ＲＳのうちの少なくとも１つについて異なるＯＣＣを決定することによって前記ＯＣＣを決定する、請求項１６に記載のコンピュータプログラム。
【請求項１９】
前記少なくとも１つのコンピュータに決定させる命令群は、少なくとも部分的に、前記複数のレイヤのうちの少なくとも１つを通じた前記ＤＭ−ＲＳのうちの少なくとも１つについて同じＯＣＣを決定することによって前記ＯＣＣを決定する、請求項１６に記載のコンピュータプログラム。
【請求項２０】
前記少なくとも１つのコンピュータに決定させる命令群は、前記ＣＳインデックスまたは前記複数のレイヤの数に対応する予め定義されたルールにさらに少なくとも部分的に基づいて、前記ＣＳ値を決定する、請求項１６に記載のコンピュータプログラム。
【請求項２１】
下記を具備する、多入力多出力（ＭＩＭＯ）通信のための方法：
復調基準信号（ＤＭ−ＲＳ）のための巡回シフト（ＣＳ）インデックスを送信すること；
前記ＭＩＭＯ通信において複数のレイヤを通じて前記ＤＭ−ＲＳを受信することであって、前記ＤＭ−ＲＳの各々はＣＳ値および直交カバー符号（ＯＣＣ）に関連付けられており、前記ＣＳ値および前記ＯＣＣは前記ＣＳインデックスに少なくとも部分的に基づく、受信すること、
ここで、前記ＣＳ値および前記ＯＣＣのうちの少なくとも１つは、さらに、１または複数のより上位のレイヤから受信される設定されたＣＳ値に少なくとも部分的に基づいて決定される。
【請求項２２】
設定されたＣＳ値を送信することをさらに具備し、前記ＯＣＣはさらに、前記設定されたＣＳ値に少なくとも部分的に基づく、請求項２１に記載の方法。
【請求項２３】
下記を具備する、多入力多出力（ＭＩＭＯ）通信のための装置：
復調基準信号（ＤＭ−ＲＳ）のための巡回シフト（ＣＳ）インデックスを送信する手段；および
前記ＭＩＭＯ通信において複数のレイヤを通じて前記ＤＭ−ＲＳを受信する手段であって、前記ＤＭ−ＲＳの各々はＣＳ値および直交カバー符号（ＯＣＣ）に関連付けられており、前記ＣＳ値および前記ＯＣＣは前記ＣＳインデックスに少なくとも部分的に基づく、受信する手段、
ここで、前記ＣＳ値および前記ＯＣＣのうちの少なくとも１つは、さらに、１または複数のより上位のレイヤから受信される設定されたＣＳ値に少なくとも部分的に基づいて決定される。
【請求項２４】
設定されたＣＳ値を送信する手段をさらに具備し、前記ＯＣＣはさらに、前記設定されたＣＳ値に少なくとも部分的に基づく、請求項２３に記載の装置。
【請求項２５】
下記を具備する、多入力多出力（ＭＩＭＯ）通信のためのコンピュータプログラム：
少なくとも１つのコンピュータに、復調基準信号（ＤＭ−ＲＳ）のための巡回シフト（ＣＳ）インデックスを送信させるための命令群；および
前記少なくとも１つのコンピュータに、前記ＭＩＭＯ通信において複数のレイヤを通じて前記ＤＭ−ＲＳを受信させるための命令群であって、前記ＤＭ−ＲＳの各々はＣＳ値および直交カバー符号（ＯＣＣ）に関連付けられており、前記ＣＳ値および前記ＯＣＣは、前記ＣＳインデックスに少なくとも部分的に基づく、命令群、
ここで、前記ＣＳ値および前記ＯＣＣのうちの少なくとも１つは、さらに、１または複数のより上位のレイヤから受信される設定されたＣＳ値に少なくとも部分的に基づいて決定される。
【請求項２６】
前記少なくとも１つのコンピュータに、設定されたＣＳ値を送信させるための命令群をさらに具備し、前記ＯＣＣはさらに、前記設定されたＣＳ値に少なくとも部分的に基づく、請求項２５に記載のコンピュータプログラム。
【発明の詳細な説明】
【関連技術】
【０００１】
本願は、本願の譲受人に譲渡された、参照によって本明細書に明確に組み込まれる、「アップリンク多入力多出力のサポートにおける復調基準信号（Demodulation Reference Signal in Support of Uplink Multiple-Input multiple-Output）」と題され、２０１０年１月１１日に提出された仮出願６１／２９３９９１号に対する優先権を主張する。
【技術分野】
【０００２】
以下の説明は、一般に、無線ネットワーク通信に関し、特に、無線通信において復調基準信号を多重化することに関する。
【背景技術】
【０００３】
無線通信システムは、例えば、音声やデータなど、様々なタイプの通信コンテンツを提供するために広く展開されている。典型的な無線通信システムは、利用可能なシステムリソース（例えば、帯域幅や送信電力など）を共有することによって複数のユーザとの通信をサポート可能な多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含みうる。追加的に、システムは、第３世代パートナーシップ・プロジェクト（３ＧＰＰ）、３ＧＰＰロングタームエボリューション（ＬＴＥ）、ウルトラモバイルブロードバンド（ＵＭＢ）、エボリューションデータ最適化（ＥＶ−ＤＯ）などのような仕様に従うことができる。
【０００４】
一般的に、無線多元接続通信システムは、複数のモバイルデバイスのための通信を同時にサポートすることができる。各モバイルデバイスは、フォワードおよびリバースリンクでの伝送によって１又は複数の基地局と通信することができる。フォワードリンク（または、ダウンリンク）は、基地局からモバイルデバイスへの通信リンクを指し、リバースリンク（または、アップリンク）は、モバイルデバイスから基地局への通信リンクを指す。さらに、モバイルデバイスと基地局との間の通信は、単一入力単一出力（ＳＩＳＯ）システム、多入力単一出力（ＭＩＳＯ）システム、多入力多出力（ＭＩＭＯ）システムなどによって確立されうる。それに加えて、モバイルデバイスは、ピアツーピア無線ネットワーク構成において、他のモバイルデバイスと（および／または、基地局が、他の基地局と）通信することができる。
【０００５】
それに加えて、デバイスは、該デバイスから受信された通信のチャネル推定を可能にするために、復調基準信号（ＤＭ−ＲＳ）を基地局に送信することができる。さらに、例えば、デバイスは、例えばＬＴＥにおいてサポートされうる、単一ユーザ（ＳＵ）−ＭＩＭＯを使用して、基地局と通信することができる。この例では、デバイスは、同様の時間／周波数リソースにおいて複数のレイヤを通じて基地局と通信することができる。例えば、信号が、１又は複数の直交周波数分割多重化（ＯＦＤＭ）シンボルの１又は複数のトーンのような、同じまたは同様の時間および周波数リソースで複数のアンテナを通じてデバイスによって送信され、信号の合計（sum）として基地局において受信されることができる。ゆえに、例えば、デバイスは、同じまたは同様の時間および周波数リソースを通じたチャネル推定を容易にするために、信号の各々について基地局にＤＭ−ＲＳを送信することができる。
【発明の概要】
【０００６】
以下は、１又は複数の態様の基本的理解をもたらすために、そのような態様の簡単な概要を提供する。この概要は、企図される態様すべてについての広範囲な要約ではなく、すべての態様の重要事項や決定的要素を識別することも、いずれかのまたはすべての態様の範囲を線引くことも意図されていない。その唯一の目的は、後に示されるより詳細な説明に対する前置きとして、１又は複数の態様のいくつかの概念を簡略化形式で示すことである。
【０００７】
１又は複数の実施形態と、それらに対応する開示にしたがって、デバイス通信の複数のレイヤについて送信された復調基準信号（ＤＭ−ＲＳ）を多重化するための直交カバー符号（ＯＣＣ）および／または巡回シフト（ＣＳ）値を導出するのを容易にすることに関して、様々な態様が説明される。例えば、ＣＳインデックスは、（例えばダウンリンク制御情報（ＤＣＩ）または同様のシグナリングにおいて）基地局から受信されることができ、複数のレイヤの各々についてのＣＳ値および／またはＯＣＣは、少なくとも部分的にＣＳインデックスに基づいて決定されることができる。さらに、例えば、ＣＳ値および／またはＯＣＣは、デバイスの１又は複数のより上位のレイヤから受信される設定された（configured）ＣＳ値に少なくとも部分的に追加的に基づいて決定されることができる。このように、ＣＳおよびＯＣＣ情報は、デバイスに関する通信の複数のレイヤのすべてについて、基地局によってシグナリングされる必要はない。
【０００８】
一例によれば、複数のレイヤの各々を通じてＤＭ−ＲＳを送信するためのＣＳインデックスを受信することと、ＣＳインデックスに少なくとも部分的に基づいてＤＭ−ＲＳの各々を送信するためのＣＳ値およびＯＣＣを決定することとを含む、多入力多出力（ＭＩＭＯ）通信においてＤＭ−ＲＳを多重化するための方法が提供される。この方法は、さらに、ＣＳ値およびＯＣＣにしたがってＤＭ−ＲＳを送信することを含む。
【０００９】
別の態様では、複数のレイヤの各々を通じてＤＭ−ＲＳを送信するためのＣＳインデックスを取得するように構成された少なくとも１つのプロセッサを含む、ＭＩＭＯ通信においてＤＭ−ＲＳを多重化するための装置が提供される。少なくとも１つのプロセッサは、さらに、少なくとも部分的にＣＳインデックスに基づいてＤＭ−ＲＳの各々を送信するためのＣＳ値およびＯＣＣを決定し、ＣＳ値およびＯＣＣにしたがってＤＭ−ＲＳを送信するように構成される。それに加えて、装置は、少なくとも１つのプロセッサに結合されたメモリを含む。
【００１０】
さらに別の態様では、複数のレイヤの各々を通じてＤＭ−ＲＳを送信するためのＣＳインデックスを受信する手段と、ＣＳインデックスに少なくとも部分的に基づいてＤＭ−ＲＳの各々を送信するためのＣＳ値を決定する手段とを含む、ＭＩＭＯ通信においてＤＭ−ＲＳを多重化するための装置が提供される。装置は、さらに、少なくとも部分的にＣＳインデックスに基づいてＤＭ−ＲＳの各々についてＯＣＣを決定する手段と、ＣＳ値およびＯＣＣにしたがってＤＭ−ＲＳを送信する手段とを含む。
【００１１】
さらに、別の態様では、復調基準信号（ＤＭ−ＲＳ）のための巡回シフト（ＣＳ）インデックスを送信することと、多入力多出力（ＭＩＭＯ）通信において複数のレイヤを通じてＤＭ−ＲＳを受信することとを含む、ＭＩＭＯ通信のための方法が提供される。ＤＭ−ＲＳの各々は、ＣＳ値および直交カバー符号（ＯＣＣ）に関連付けられうる。ＣＳ値およびＯＣＣは、少なくとも部分的にＣＳインデックスに基づきうる。
【００１２】
追加的に、さらに別の態様では、復調基準信号（ＤＭ−ＲＳ）のための巡回シフト（ＣＳ）インデックスを送信する手段と、多入力多出力（ＭＩＭＯ）通信において複数のレイヤを通じてＤＭ−ＲＳを受信する手段とを含む、ＭＩＭＯ通信のための装置が提供される。ＤＭ−ＲＳの各々は、ＣＳ値および直交カバー符号（ＯＣＣ）に関連付けられうる。ＣＳ値およびＯＣＣは、少なくとも部分的にＣＳインデックスに基づきうる。
【００１３】
別の態様では、少なくとも１つのコンピュータに、復調基準信号（ＤＭ−ＲＳ）のための巡回シフト（ＣＳ）インデックスを送信させる命令群と、少なくとも１つのコンピュータに、多入力多出力（ＭＩＭＯ）通信において複数のレイヤを通じてＤＭ−ＲＳを受信させる命令群とを備えるコンピュータ可読記録媒体を含む、ＭＩＭＯ通信のためのコンピュータプログラム製品が提供される。ＤＭ−ＲＳの各々は、ＣＳ値および直交カバー符号（ＯＣＣ）に関連付けられる。ＣＳ値およびＯＣＣは、ＣＳインデックスに少なくとも部分的に基づいている。
【００１４】
さらに、別の態様では、少なくとも１つのコンピュータに、複数のレイヤの各々を通じてＤＭ−ＲＳを送信するためのＣＳインデックスを取得させるための命令群を有するコンピュータ可読媒体を含む、ＭＩＭＯ通信においてＤＭ−ＲＳを多重化するためのコンピュータプログラム製品が提供される。コンピュータ可読媒体は、さらに、少なくとも１つのコンピュータに、ＣＳインデックスに少なくとも部分的に基づいてＤＭ−ＲＳの各々を送信するためのＣＳ値およびＯＣＣを決定させるための命令群と、少なくとも１つのコンピュータに、ＣＳ値およびＯＣＣにしたがってＤＭ−ＲＳを送信させるための命令群とを含む。
【００１５】
別の例によれば、第１のデバイスのための第１のＣＳインデックスまたは第１のＯＣＣと、マルチユーザＭＩＭＯ（ＭＵ−ＭＩＭＯ）通信において第１のデバイスとペアにされた第２のデバイスのための第２のＣＳインデックスまたは第２のＯＣＣとを選択することを含む、ＭＵ−ＭＩＭＯ通信においてＣＳインデックスまたはＯＣＣをデバイスに対してプロビジョニングするための方法が提供される。この方法はさらに、第１のＣＳインデックスまたは第１のＯＣＣのインデックスを第１のデバイスにシグナリングすることと、第２のＣＳインデックスまたは第２のＯＣＣのインデックスを第２のデバイスにシグナリングすることとを含む。
【００１６】
別の態様では、第１のデバイスのための第１のＣＳインデックスまたは第１のＯＣＣと、ＭＵ−ＭＩＭＯ通信において第１のデバイスとペアにされた第２のデバイスのための第２のＣＳインデックスまたは第２のＯＣＣとを決定し、第１のＣＳインデックスまたは第１のＯＣＣのインデックスを第１のデバイスに送信するように構成された少なくとも１つのプロセッサを含む、ＭＵ−ＭＩＭＯ通信においてＣＳインデックスまたはＯＣＣをデバイスに対してプロビジョニングするための装置が提供される。少なくとも１つのプロセッサは、さらに、第２のＣＳインデックスまたは第２のＯＣＣのインデックスを第２のデバイスに送信するように構成される。それに加えて、装置は、少なくとも１つのプロセッサに結合されたメモリを含む。
【００１７】
さらに別の態様では、第１のデバイスのための第１のＣＳインデックスと、ＭＵ−ＭＩＭＯ通信において該デバイスとペアにされた第２のデバイスのための第２のＣＳインデックスとを選択する手段と、第１のデバイスのための第１のＯＣＣと、第２のデバイスのための第２のＯＣＣとを選択する手段とを含む、ＭＵ−ＭＩＭＯ通信においてＣＳインデックスまたはＯＣＣをデバイスに対してプロビジョニングするための装置が提供される。装置は、さらに、第１のＣＳインデックスまたは第１のＯＣＣのインデックスを第１のデバイスにシグナリングし、第２のＣＳインデックスまたは第２のＯＣＣのインデックスを第２のデバイスにシグナリングする手段を含む。
【００１８】
さらに、別の態様において、少なくとも１つのコンピュータに、第１のデバイスのための第１のＣＳインデックスまたは第１のＯＣＣと、ＭＵ−ＭＩＭＯ通信において第１のデバイスとペアにされた第２のデバイスのための第２のＣＳインデックスまたは第２のＯＣＣとを決定させるための命令群を有するコンピュータ可読媒体を含む、ＭＵ−ＭＩＭＯ通信においてＣＳインデックスまたはＯＣＣをデバイスに対してプロビジョニングするためのコンピュータプログラム製品が提供される。コンピュータ可読媒体は、さらに、少なくとも１つのコンピュータに、第１のＣＳインデックスまたは第１のＯＣＣのインデックスを第１のデバイスに送信させるための命令群と、少なくとも１つのコンピュータに、第２のＣＳインデックスまたは第２のＯＣＣのインデックスを第２のデバイスに送信させるための命令群とを含む。
【００１９】
前述の目的およびそれに関連する目的の達成に向けて、１又は複数の態様は、以下で詳細に説明され、特許請求の範囲において特に指摘される特徴を備える。以下の説明および添付図面は、１又は複数の態様の特定の例示的な特徴を詳細に説明する。ただし、これらの特徴は、様々な態様の原理が用いられうる様々な方式のうちのほんのいくつかを示すにすぎず、この説明は、このような態様およびそれらの均等物すべてを含むように意図されている。
【図面の簡単な説明】
【００２０】
開示される態様が、以下で添付図面に関連して説明される。添付図面は、開示される態様を限定するためではなく、例示するために提供される。ここにおいて、同様の記号は同様のエレメントを示す。
【図１】図１は、多入力多出力（ＭＩＭＯ）において複数のレイヤを使用して通信するための例示的なシステムを示す。
【図２】図２は、ＭＩＭＯにおいて複数のレイヤについて復調基準信号（ＤＭ−ＲＳ）を送信するための例示的なシステムを示す。
【図３】図３は、マルチユーザＭＩＭＯ（ＭＵ−ＭＩＭＯ）において、巡回シフト（ＣＳ）インデックスまたは直交カバー符号（ＯＣＣ）を１又は複数のデバイスに対してプロビジョニングするための例示的なシステムを示す。
【図４】図４は、ＭＩＭＯにおいて複数のＤＭ−ＲＳについてＣＳ値またはＯＣＣを決定するための例示的な方法を示す。
【図５】図５は、ＭＵ−ＭＩＭＯにおいて直交性を維持するためにＣＳインデックスおよび／またはＯＣＣをシグナリングするための例示的な方法を示す。
【図６】図６は、複数のＤＭ−ＲＳを送信するためのＣＳ値および／またはＯＣＣを決定するための例示的なモバイルデバイスを示す。
【図７】図７は、ＭＵ−ＭＩＭＯにおいてＣＳインデックスまたはＯＣＣを１又は複数のデバイスに対して提供するための例示的なシステムを示す。
【図８】図８は、ＭＩＭＯにおいて複数のＤＭ−ＲＳについてＣＳ値またはＯＣＣを決定するための例示的なシステムを示す。
【図９】図９は、ＭＵ−ＭＩＭＯにおいて直交性を維持するためにＣＳインデックスおよび／またはＯＣＣをシグナリングするための例示的なシステムを示す。
【図１０】図１０は、本明細書において示される様々な態様にしたがう例示的な無線通信システムを示す。
【図１１】図１１は、本明細書において説明される様々なシステムおよび方法に関連して用いられうる例示的な無線ネットワーク環境を示す。
【発明を実施するための形態】
【００２１】
ここで、様々な態様について図面に関連して説明する。以下の記載では、説明を目的として、１又は複数の態様の完全な理解を提供するために多数の具体的な詳細が示される。しかしながら、このような（１又は複数の）態様がこれら具体的な詳細なしに実施されうることが明白である。
【００２２】
本明細書においてさらに説明されるように、巡回シフト（ＣＳ）値および／または直交カバー符号（ＯＣＣ）は、シグナリングされたＣＳインデックスに少なくとも部分的に基づいて、デバイスによって導出されうる。例えば、デバイスは、多入力多出力（ＭＩＭＯ）（例えば、単一ユーザＭＩＭＯ（ＳＵ−ＭＩＭＯ）、マルチユーザＭＩＭＯ（ＭＵ−ＭＩＭＯ）など）を使用して基地局と通信することができ、したがって、ＭＩＭＯ通信に対応する各レイヤについて復調基準信号（ＤＭ−ＲＳ）を送信することができる。デバイスは、シグナリングされたＣＳインデックスを受信し、シグナリングされたＣＳインデックス、別の設定されたＣＳ値などに少なくとも部分的に基づいて、各レイヤについてＣＳ値および／またはＯＣＣを導出することができる。さらに、例えば、ＯＣＣまたは関連インデックスは、追加的にまたは代替的に、デバイスへと明示的にシグナリングされうる。いずれの場合にも、複数のレイヤに関するＣＳ値および／またはＯＣＣは、単一の受信されたＣＳインデックスから導出されることができ、これにより、シグナリングリソースが節約される。さらに、デバイスについて特定のＣＳインデックスおよび／またはＯＣＣを選択することによって、デバイスが異なる伝送帯域幅を有する場合でも、ＭＵ−ＭＩＭＯにおいてペアにされたデバイスについて直交性が維持されうる。
【００２３】
本願において使用される場合、用語「コンポーネント」、「モジュール」、「システム」、およびそれらと同様のものは、ハードウェア、ファームウェア、ハードウェアとソフトウェアの組合せ、ソフトウェア、または実行中のソフトウェアのようなコンピュータ関連エンティティを含むよう意図されているが、それらに限定はされない。例えば、コンポーネントは、プロセッサ上で実行されているプロセス、プロセッサ、オブジェクト、実行ファイル、実行スレッド、プログラム、および／またはコンピュータでありうるが、それらに限定はされない。例として、コンピューティングデバイス上で実行されているアプリケーションと、コンピューティングデバイスとの両方が、コンポーネントでありうる。１又は複数のコンポーネントは、プロセスおよび／または実行スレッド内に存在することができ、コンポーネントは、１つのコンピュータ上に位置しうる、および／または２つ以上のコンピュータ間で分散されうる。それに加えて、これらのコンポーネントは、格納された様々なデータ構造を有する様々なコンピュータ可読媒体から実行可能である。コンポーネントは、例えば、信号を用いて他のシステムとインターネットなどのネットワークを通じて、および／または分散システム内、ローカルシステム内の別のコンポーネントと対話するあるコンポーネントからのデータなどのような、１または複数のデータパケットを有する信号に従って、ローカルおよび／またはリモートプロセスによって通信することができる。
【００２４】
さらに、様々な態様が、有線端末または無線端末でありうる端末に関連して本明細書で説明される。端末は、また、システム、デバイス、加入者ユニット、加入者局、モバイル局、モバイル、モバイルデバイス、遠隔局、遠隔端末、アクセス端末、ユーザ端末、端末、通信デバイス、ユーザエージェント、ユーザデバイス、またはユーザ機器（ＵＥ）とも呼ばれうる。無線端末は、セルラ電話、衛星電話、コードレス電話、セッション開始プロトコル（ＳＩＰ）電話、無線ローカルループ（ＷＬＬ）局、携帯情報端末（ＰＤＡ）、無線接続機能を有するハンドヘルドデバイス、コンピューティングデバイス、または無線モデムに接続されたその他の処理デバイスでありうる。さらに、様々な態様が、基地局に関連して本明細書で説明される。基地局は、（１つ又は複数の）無線端末と通信するために利用されることができ、また、アクセスポイント、ノード、ノードＢ、発展型ノードＢ（ｅＮＢ）、またはその他何らかの用語で呼ばれうる。
【００２５】
さらに、用語「または（or）」は、排他的な「または」ではなく、包含的な「または」を意味するよう意図されている。すなわち、特に指定のない限り、あるいは、コンテキストから明らかでない限り、「ＸはＡまたはＢを用いる」というフレーズは、自然の包含的順列（natural inclusive permutations）のうち任意のものを意味するよう意図されている。すなわち、「ＸはＡまたはＢを用いる」というフレーズは、ＸはＡを用いる、ＸはＢを用いる、あるいは、ＸはＡおよびＢの両方を用いる、というインスタンスのうちのいずれかによって満たされる。それに加えて、本明細書および添付の請求項の範囲において使用される「ａ」および「ａｎ」という冠詞は、特に指定のない限り、または単数形を指しているとコンテキストから明らかでない限り、「１又は複数」を意味すると一般的に解釈されるべきである。
【００２６】
本明細書において説明される技術は、ＣＤＭＡ、ＴＤＭＡ、ＦＤＭＡ、ＯＦＤＭＡ、ＳＣ−ＦＤＭＡおよびその他のシステムのような、様々な無線通信システムのために使用されうる。用語「システム」および「ネットワーク」は、しばしば交換可能に使用されうる。ＣＤＭＡシステムは、ユニバーサル地上無線接続（ＵＴＲＡ）やｃｄｍａ２０００などの無線技術を実現しうる。ＵＴＲＡは、広帯域ＣＤＭＡ（Ｗ−ＣＤＭＡ）およびＣＤＭＡのその他の変形を含む。さらに、ｃｄｍａ２０００は、ＩＳ−２０００基準、ＩＳ−９５基準、ＩＳ−８５６基準をカバーする。ＴＤＭＡシステムは、グローバル・システム・フォー・モバイル・コミュニケーション（ＧＳＭ（登録商標））のような無線技術を実現しうる。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）は、Ｅ−ＵＴＲＡを使用するＵＭＴＳのリリースであり、これは、ダウンリンクでＯＦＤＭＡを、アップリンクでＳＣ−ＦＤＭＡを用いる。ＵＴＲＡ、Ｅ−ＵＴＲＡ、ＵＭＴＳ、ＬＴＥ、およびＧＳＭは、「第３世代パートナーシップ・プロジェクト」（３ＧＰＰ）と命名された団体からの文書において説明される。さらに、ｃｄｍａ２０００およびＵＭＢは、「第３世代パートナーシップ・プロジェクト２」（３ＧＰＰ２）と命名された団体からの文書において説明される。さらに、このような無線通信システムは、ライセンスを受けていない非ペアのスペクトル、８０２．ｘｘ無線ＬＡＮ、ＢＬＵＥＴＯＯＴＨ（登録商標）、およびその他なんらかの短距離または長距離の無線通信技術をしばしば使用する、ピアツーピア（例えば、モバイルツーモバイル）アドホックネットワーク・システムを追加的に含みうる。
【００２７】
様々な態様または特徴が、複数のデバイス、コンポーネント、モジュールなどを含みうるシステムの観点から示される。様々なシステムが、追加的なデバイス、コンポーネント、モジュールなどを含みうること、および／または、図に関連して説明されるデバイス、コンポーネント、モジュールなどのすべてを含むとは限らないことが理解および認識されるべきである。これらのアプローチの組合せも使用されうる。
【００２８】
図１を参照すると、複数のチャネルによる通信を容易にする無線通信システム１００が示されている。システム１００は、無線ネットワークへのアクセスを提供するためにデバイス１０４と通信する基地局１０２を含む。基地局１０２およびデバイス１０４は、図示されるように、複数のアンテナを通じて通信することができる。例えば、基地局１０２およびデバイス１０４は、図示されるように、複数のアンテナによって通信しうる。例えば、基地局１０２は、アンテナ１０６および／または１又は複数の追加的なアンテナ（図示せず）を含むことができ、デバイス１０４は、ＭＩＭＯを使用して複数のレイヤを通じて通信するために少なくともアンテナ１０８および１１０（および／または追加的なアンテナ）を含むことができる。基地局１０２は、マクロセル、フェムトセル、ピコセル、または同様の基地局、中継ノード、モバイル基地局、ピアツーピアまたはアドホックモードで通信するデバイス、それらの一部、および／または同様のものでありうる。デバイス１０４は、ＵＥ、モデム（またはその他のテザー（tethered）デバイス）、それらの一部、および／または同様のものでありうる。
【００２９】
一例によると、デバイス１０４は、アンテナ１０８および１１０の両方を使用して基地局１０２にアップリンク信号を送信することができ、これらのアンテナは、物理アンテナまたは仮想アンテナでありうる。アンテナ１０８および１１０の両方（および／または追加的なアンテナ）を使用すると、デバイス１０４は、ＭＩＭＯを使用して基地局１０２と通信できるようになる。このように、デバイス１０４は、各々がアンテナ１０８および／または１１０に対応する複数のレイヤを通じて基地局１０２と通信する。例えば、各レイヤは、ＭＩＭＯにおける同じ時間および周波数リソースに対応することができ、デバイス１０４は、信号を受信するためのいくらかの分離を提供するために、時間および周波数リソースにわたって各レイヤについて信号を空間的に多重化することができる。これに関して、基地局１０２は、所与の時間期間において周波数リソースにわたってアンテナ１０８、１１０から同時に送信された複数の信号の合計を受信し、信号を逆多重化することに少なくとも部分的に基づいてそれらの信号を区別することができる。これは、例えば、追加的な時間および周波数リソースを使用することなく複数の信号の伝送を可能にすることによってデバイス１０４のスループットの増大を可能にしうる。デバイス１０４は、各レイヤについてＤＭ−ＲＳを送信することができ、それを基地局１０２が受信し、利用して、信号の各々についてチャネルを推定することができる。
【００３０】
ＤＭ−ＲＳ伝送のために複数のレイヤ間に改善された直交性を提供するために、デバイス１０４は、主たる多重化スキームとしてＣＳ分離を、および／または補完的な多重化スキームとしてＯＣＣ分離を使用することができる。したがって、例えば、各レイヤのＤＭ−ＲＳは、別個の関連付けられたＣＳ値および／またはＯＣＣを有することができる。ＣＳは、時間領域においてＤＭ−ＲＳを巡回的にシフトすることを指しうる。例えば、ＣＳ値ｎｃｓに関して、時間領域における対応する送信されたＤＭ−ＲＳ信号シーケンスは、ｒ（ｍｏｄ（ｎ−Ｍｎｃｓ，１２Ｍ））として表されることができ、ここで、Ｍは、１２の倍数で表されるＤＭ−ＲＳシーケンスの長さであることができ、ｎは、０から１２Ｍ−１までの時間インデックスを表すことができ、そしてまた、周波数領域における送信された信号は、  
【数１】
0005639193.tif 000002
【００３１】
として表されることができ、ここで、Ｒ（ｋ）＝ＤＦＴ｛ｒ（ｎ）｝は、様々なレイヤにおいてＣＳを実行するための共通のベースシーケンスであり、ｋは、０から１２Ｍ−１までのトーンインデックスであることができる。例えば、サブフレームは、時間および周波数リソースの集合を指すことができ、そして、各々が少なくとも時間リソースのサブセットである１又は複数のシンボルを含むことができ、スロットは、１又は複数のシンボルのセットを備えるサブフレームの時間部分であることができる。例えば、ＬＴＥにおいて、シンボルは、直交周波数分割多重化（ＯＦＤＭ）シンボルに対応することができ、これは、１ミリ秒の時間期間にわたる周波数の部分（例えば、ある周波数帯域における搬送波の集合）を含みうる。例えば、ＬＴＥにおけるアップリンク通信のためのサブフレームは、巡回プレフィックス（ＣＰ）に応じて、各々が６または７個のＯＦＤＭシンボルの集合を含む、２つのスロットを備えることができる。
【００３２】
１つの例では、デバイス１０４は、受信されたＣＳインデックスに少なくとも部分的に基づいて、複数のレイヤの各々に対応するＤＭ−ＲＳに関するＣＳ値および／またはＯＣＣを導出することができる。例えば、ＣＳインデックスは、（例えば、ＬＴＥにおける物理ダウンリンク制御チャネル（ＰＤＣＣＨ）のような制御チャネルにおいて）基地局１０２からのダウンリンク制御情報（ＤＣＩ）の一部として受信されうる。このように、基地局１０２は、ＤＭ−ＲＳの各々についてＣＳ値および／またはＯＣＣをシグナリングする必要がなく、デバイス１０４は、それらを受信する必要がなく、これにより、このようなシグナリングのために必要とされるオーバヘッドを低減することによって、時間およびシグナリングリソースを節約することができる。同様に、上述のように、デバイス１０４は、デバイス１０４においてより上位のレイヤから受信される設定されたＣＳ値に少なくとも部分的にさらに基づいてＣＳ値を導出することができる。さらに、１つの例では、基地局１０２は、ＯＣＣを明示的にシグナリングすることができ、および／または、デバイス１０４はまた、ＣＳインデックスおよび／または設定されたＣＳ値に少なくとも部分的に基づいて各レイヤについてＯＣＣを導出することができる。１つの例では、デバイス１０４は、デバイス１０４におけるアンテナの数および／またはＣＳインデックス（および／または設定されたＣＳ値）に関連付けられた予め定義されたルールに少なくとも部分的に基づいて、ＣＳ値を導出することができる。特定の例では、デバイス１０４は、ＤＣＩにおいて受信されたＣＳインデックス、および／またはＣＳインデックスおよび設定されたＣＳ値に応じて計算されたＣＳ値を、ＤＭ−ＲＳを送信するためのアンテナ１０８に割り当てることができ、これは、以上でｎｃｓとして示されている。次いで、デバイス１０４は、ＣＳ値：ｎｃｓ＋６を、（例えば、最大１２個までの異なるＣＳがＬＴＥにおいて利用されうるので）最大のＣＳ分離を提供するためにＤＭ−ＲＳを送信するためのアンテナ１１０に割り当てることができる。
【００３３】
図２を参照すると、ＭＩＭＯ通信において複数のレイヤについてＤＭ−ＲＳを送信するためのＣＳ値および／またはＯＣＣを導出することを容易にする、例示的な無線通信システム２００が示されている。システム２００は、デバイス２０４と（例えば、そこへの無線ネットワークアクセスを提供するために）無線通信している基地局２０２を含む。基地局２０２は、マクロセル、フェムトセル、ピコセル、または同様の基地局、中継ノード、モバイル基地局、ピアツーピアまたはアドホックモードにおけるデバイス、それらの一部分などであることができ、デバイス２０４は、ＵＥ、モデム、それらの一部分などであることができる。さらに、デバイス２０４は、ＤＭ−ＲＳを送信するために基地局からＣＳインデックスを取得するためのＣＳインデックス受信コンポーネント２０６と、デバイス２０４における１又は複数のＭＩＭＯ通信レイヤに関連する１又は複数のＤＭ−ＲＳについてのＣＳ値を決定するためのＣＳ値導出コンポーネント２０８とを備えることができる。デバイス２０４はまた、１又は複数のＤＭ−ＲＳに関連するＯＣＣを受信するためのＯＣＣ決定コンポーネント２１０と、それぞれのＣＳ値および／またはＯＣＣを使用してＤＭ−ＲＳを送信するためのＤＭ−ＲＳ送信コンポーネント２１２とを備えうる。
【００３４】
一例によると、基地局２０２は、制御チャネルを通じて、ＤＣＩにおいて、ＤＭ−ＲＳを送信するためのＣＳインデックスをデバイス２０４にシグナリングすることができる。この例では、ＣＳ値導出コンポーネント２０８は、ＣＳインデックスに少なくとも部分的に基づいて、デバイス２０４の複数のレイヤに関連したＤＭ−ＲＳについてのＣＳ値を計算することができる。１つの例では、ＣＳ値導出コンポーネント２０８は、ＭＩＭＯにおいて、レイヤあるいは対応する物理または仮想アンテナの数にさらに少なくとも部分的に基づいて、ＤＭ−ＲＳについてのＣＳ値を計算することができる。これに関して、１つの例では、ＣＳ値導出コンポーネント２０８は、ＤＭ−ＲＳについて最大分離を提供するためにＣＳ値を計算することができる。例えば、ＣＳ値導出コンポーネント２０８は、レイヤおよび／または対応するアンテナの数についての予め定義されたルールにしたがってＣＳ値を計算することができる。それに加えて、例えば、ＯＣＣ決定コンポーネント２１０は、ＤＣＩにおいてＯＣＣインデックスを取得することができ、あるいはその他の方法で、シグナリングされたＣＳインデックスからＯＣＣインデックスを導出することができる。１つの例では、ＯＣＣインデックスは、以下の表に従う長さ２のＯＣＣ（length-2 OCC）に対応することができる。  
【表１】
0005639193.tif 000003
【００３５】
ここで、ＯＣＣは、サブフレーム内の２つのスロットにわたってＤＭ−ＲＳ信号に適用される。それに加えて、前述したように、ＣＳ値導出コンポーネント２０８は、さらに、より上位のレイヤ（例えば、ラジオリソース制御（ＲＲＣ）レイヤ、アプリケーションレイヤ、または同様のレイヤ）から、設定されたＣＳ値を取得することができ、設定されたＣＳ値に少なくとも部分的にさらに基づいて、ＣＳ値および／またはＯＣＣを導出することができる。これに関して、ＤＭ−ＲＳ送信コンポーネント２１２は、（例えば、それぞれのＤＭ−ＲＳにＯＣＣを適用し、それぞれのＣＳ値を用いてＤＭ−ＲＳを送信することによって）、導出されたＣＳ値および／またはＯＣＣにしたがって複数のレイヤの各々についてＤＭ−ＲＳを送信することができる。
【００３６】
１つの特定の例において、ＬＴＥでは、最大１２個までの異なるＣＳインデックスが利用されることができる。以下の例では、前のケースが例示を目的として示されている。この例では、ＣＳインデックス受信コンポーネント２０６は、ＤＣＩにおいてＣＳインデックスを取得することができ、ＣＳ値導出コンポーネント２０８は、ＣＳインデックスとレイヤの数とに少なくとも部分的に基づいて、デバイス２０４の各レイヤについてＣＳ値を決定することができる。例えば、ＣＳ値導出コンポーネント２０８は、レイヤ間の分離を最大にするＣＳ値を選択する。それに加えて、ＯＣＣ決定コンポーネント２１０は、ＣＳインデックス、および／または、より上位のレイヤから受信された別の設定されたＣＳ値に少なくとも部分的に基づいて、各レイヤについてＯＣＣインデックスを決定することができる。例えば、ＯＣＣ決定コンポーネント２１０は、対応するＵＬグラントにおいて動的にシグナリングされたＣＳインデックスと、より上位のレイヤの設定されたＣＳ値（例えば、１２を法として、あるいはそれ以外）とを合計して、ＯＣＣをそれについて選択すべきＣＳ値を決定することができる。この例では、ＯＣＣ決定コンポーネント２１０は、以下のような予め定義された表に少なくとも部分的に基づいてＯＣＣを選択することができる。  
【表２】
0005639193.tif 000004
【００３７】
ＯＣＣ決定コンポーネント２１０は、受信されたＣＳインデックス、より上位のレイヤからの設定されたＣＳ値、計算されたＣＳ値、ＯＣＣインデックスまたは実際のＯＣＣへのＣＳインデックスまたは値のマッピングなどの、実質的に任意の関数に少なくとも部分的に基づいてＯＣＣインデックスを決定することができることを理解すべきである。
【００３８】
ＬＴＥを使用するこの例では、ＤＣＩにおいてＣＳインデックス受信コンポーネント２０６によって受信されるＣＳインデックスは、３ビットでありうる。これは、単独ではＣＳ値に関する１２個の可能性を表すには十分ではなく、１つの例では、３ビットの値は、上記の表において太字で示されるＣＳ値（例えば、０、２、３、４、６、８、９、１０）を表しうる。したがって、ＣＳ値導出コンポーネント２０８は、設定されたＣＳ値をより上位のレイヤから受信することができ、これをＯＣＣ決定コンポーネント２１０が、ＤＣＩにおいて受信されたＣＳインデックスと併せて使用して、ＯＣＣインデックスを決定するためのＣＳ値を計算することができ、これは、上記の値１、５、７、１１も含めることを可能にしうる。別の例では、ＯＣＣ決定コンポーネント２１０は、シグナリングされたＣＳインデックスなどのようなその他の値と組み合わせて、または単独で、ＤＣＩによって指示されるリソース割当（例えば、物理リソースブロックの開始および／または終了インデックス）のような、実質的に任意のシグナリングされた値またはそれへのマッピングに少なくとも部分的に基づいて、ＯＣＣインデックスを導出できることを理解すべきである。
【００３９】
１つの例では、ＣＳ値導出コンポーネント２０８は、ＣＳ値を決定する際に以下の予め定義されたルールのうちの１又は複数を利用することができ、および／またはＯＣＣ決定コンポーネント２１０は、ＭＩＭＯ通信において各レイヤ（例えば、物理または仮想アンテナ）に関して、ＯＣＣを選択するためのルールを利用することができ、ここで、  
【数２】
0005639193.tif 000005
【００４０】
は、例えばＵＬグラントのような、ＤＣＩにおいてシグナリングされるＣＳインデックス受信コンポーネント２０６によって受信されたＣＳインデックスを表しうる。  
【表３】
0005639193.tif 000006
【表４】
0005639193.tif 000007
【表５】
0005639193.tif 000008
【表６】
0005639193.tif 000009
【表７】
0005639193.tif 000010
【００４１】
この例では、ＯＣＣ決定コンポーネント２１０は、ＤＣＩ値から明示的に、ＣＳインデックス（または、その他のＤＣＩ値）および対応する予め定義された表（一例では、上記に示されるような）に基づいて暗示的に、および／または同様のやりかたで、ＩＯＣＣ、すなわちＯＣＣインデックスを決定することができる。それに加えて、ＣＳ値が０から１１の間になるように、上記に示された合計（summation）が１２を法としたものでありうることを理解すべきである。例えば、ランク４送信における物理／仮想アンテナでは、ＣＳ値導出コンポーネント２０８は、下記のようにＣＳ値をそれぞれ計算することができる。  
【数３】
0005639193.tif 000011
【００４２】
さらに、以上で示したように別個のＯＣＣのためのオプションＡを使用することによって、各レイヤについてＤＭ−ＲＳのさらなる分離が可能になり、これは、デバイス２０４に、より優れたスループット性能を提供しうる。したがって、オプションＡは、ＳＵ−ＭＩＭＯ伝送のために最適化される。実際、複数の異なるＯＣＣを使用するデバイスはまた、ＣＳ値にかかわらず、直交ＤＭ−ＲＳを保ちながら一緒にペアにされうる。例えば、基地局２０２は、以下でさらに詳細に説明されるように、暗示的または明示的に、ＩＯＣＣをデバイス２０４に、１−ＩＯＣＣをその他のデバイスにシグナリングすることができる。いずれのケースにおいても、直交性は、伝送帯域幅にかかわらず、デバイス２０４およびその他のデバイスに関連したＤＭ−ＲＳについて維持されることができる。
【００４３】
図３を参照すると、ＭＵ−ＭＩＭＯにおけるデバイスのためのＯＣＣを選択することを容易にする例示的な無線通信システム３００が例示される。システム３００は、デバイス３０４および３０６と（例えば、それらに対する無線ネットワークアクセスを提供するために）無線で通信する基地局３０２を含む。前述のように、基地局３０２は、マクロセル、フェムトセル、ピコセル、または同様の基地局、中継ノード、モバイル基地局、ピアツーピアまたはアドホックモードのデバイス、それらの一部などであることができ、デバイス３０４および３０６は、ＵＥ、モデム、それらの一部などであることができる。基地局３０２は、１又は複数のデバイスのためのＣＳインデックスを決定するＣＳ選択コンポーネント３０８、１又は複数のデバイスのためのＯＣＣを決定するオプションのＯＣＣ選択コンポーネント３１０、および１又は複数のデバイスにＤＣＩをシグナリングするＤＣＩシグナリングコンポーネント３１２を含むことができる。
【００４４】
一例によれば、基地局３０２は、ＭＵ−ＭＩＭＯにおける通信のためにデバイス３０４および３０６をペアにして、それらに対して同様の時間および周波数リソースを提供することができる。したがって、１つの例では、ＣＳ選択コンポーネント３０８は、デバイス３０４およびデバイス３０６が異なる伝送帯域幅を有する場合に衝突を回避するために、デバイス３０４およびデバイス３０６について異なるＣＳインデックスを決定することができる。別の例では、ＯＣＣ選択コンポーネント３１０は、デバイス３０４によって送信されたＤＭ−ＲＳにＯＣＣを適用するために、ＯＣＣインデックスをデバイス３０４に提供することを決定することができ、異なるＯＣＣインデックスをデバイス３０６に提供することを決定することができる（例えば、上述のように、ＯＣＣ選択コンポーネント３１０がＩＯＣＣをデバイス３０４に割り当てる場合、１−ＩＯＣＣ）。いずれのケースにおいても、ＤＣＩシグナリングコンポーネント３１２は、制御チャネルを通じてＤＣＩにおいてデバイス３０４およびデバイス３０６にそれぞれのＣＳインデックスおよび／またはＯＣＣインデックスを通信することができる。このように、例えば、デバイス３０４および３０６は、シグナリングされた値に少なくとも部分的に基づいて、上述のように、様々な通信レイヤについてＣＳ値およびＯＣＣを導出することができる。デバイス３０４および３０６がＤＭ−ＲＳを送信するために異なるＣＳおよび／または異なるＯＣＣを利用するので、ＤＭ−ＲＳについて直交性が維持されることができる。１つの例では、上記のオプションＢのもとで、ＣＳ選択コンポーネント３０８は、同様のＣＳインデックスを決定し、ＯＣＣ選択コンポーネント３１０は、デバイス３０４および３０６について異なるＯＣＣを決定する。
【００４５】
図４〜５を参照すると、ＭＩＭＯ通信においてＤＭ−ＲＳを送信するためにＣＳ値および／またはＯＣＣを決定することに関する例示的な方法が示される。説明を簡単にするために、それらの方法は、一連の動作として示され、説明されているが、それらの方法が動作の順序によって限定されることはなく、１又は複数の実施形態によると、いくつかの動作は、本明細書において示され、説明されるものとは異なる順序で生じうる、および／または他の動作と同時に生じうることが理解および認識されるべきである。例えば、方法は、代替的に、状態図におけるように、相互に関連する一連の状態またはイベントとして表されることもできることが理解されるべきである。さらに、示された必ずしもすべての動作が、１又は複数の実施形態に従う方法を実施するために必要とされるわけではない。
【００４６】
図４を参照すると、複数の通信レイヤを通じたＤＭ−ＲＳ送信のためにＣＳ値およびＯＣＣを決定するための例示的な方法４００が示される。４０２において、複数の異なるレイヤの各々によってＤＭ−ＲＳを送信するためのＣＳインデックスが受信されることができる。説明されたように、これは、基地局からＤＣＩにおいて受信されることができ、異なる複数のレイヤは、ＤＭ−ＲＳが各レイヤについて送信されることができるように、ＭＩＭＯ通信のために使用される物理または仮想アンテナに関連しうる。４０４において、ＣＳインデックスに少なくとも部分的に基づいて、ＤＭ−ＲＳの各々を送信するためのＣＳ値およびＯＣＣが決定されることができる。例えば、ＣＳ値は、説明されたように、予め定義されたルールに基づいて、および／またはレイヤの数にさらに基づいて、決定されることができる。ルールは、説明されたように、ＣＳインデックスおよびレイヤの数に基づいて、ＤＭ−ＲＳの分離を最大にすることができる。それに加えて、ＯＣＣは、さらに、より上位のレイヤ（例えば、ＲＲＣレイヤ、アプリケーションレイヤ、および／または同様のもの）から受信される設定されたＣＳ値に少なくとも部分的に基づいて決定されることができる。４０６において、ＤＭ−ＲＳは巡回シフトおよびＯＣＣにしたがって送信されることができる。
【００４７】
図５を見ると、ＭＵ−ＭＩＭＯ通信においてペアにされたデバイスにＯＣＣをシグナリングするための例示的な方法５００が示される。５０２では、第１のＣＳインデックスまたは第１のＯＣＣが、第１のデバイスのために選択されることができ、第２のＣＳインデックスまたは第２のＯＣＣが、ＭＵ−ＭＩＭＯ通信において第１のデバイスとペアにされた第２のデバイスのために選択されることができる。第１のＯＣＣは、第２のＯＣＣとは異なるものでありうる。説明されたように、第１のＯＣＣおよび第２のＯＣＣは、各々、可能性のある２つのＯＣＣのうちの１つでありうる。５０４において、第１のＣＳインデックスまたは第１のＯＣＣのインデックスが、第１のデバイスにシグナリングされることができ、５０６において、第２のＣＳインデックスまたは第２のＯＣＣのインデックスが、第２のデバイスにシグナリングされることができる。説明されたように、これは、第１のＣＳインデックスまたは第１のＯＣＣおよび第２のＣＳインデックスまたは第２のＯＣＣをＤＣＩにおいてそれぞれ第１のデバイスおよび第２のデバイスにシグナリングすることを含みうる。これに関して、第１のデバイスおよび第２のデバイスは、説明されたように、ＤＭ−ＲＳを送信するための直交性を維持することができる。
【００４８】
本明細書において説明される１又は複数の態様によれば、説明されたように、ＭＩＭＯ通信においてＤＭ−ＲＳを送信するためにＣＳ値またはＯＣＣを決定することなどに関して推測がなされうることが理解されるだろう。本明細書において使用される場合、「推測する（infer）」または「推測（inference）」に対する用語は、一般的に、イベントおよび／またはデータを介して捉えられるような観測のセットから、システム、環境、および／またはユーザの状態について論理的に考えるまたは推測するプロセスを指す。推測は、例えば、特定のコンテキストまたはアクションを識別するために使用されることができ、または、複数の状態にわたる確率分布を生成することができる。推測は、確率的なもの、すなわち、データおよびイベントの考察に基づく、関心のある複数の状態にわたる確率分布の計算でありうる。推測は、また、イベントおよび／またはデータのセットから、より高いレベルのイベントを構成するために用いられる技術を指しうる。このような推測は、観測されたイベントおよび／または格納されたイベントデータのセットから、これらのイベントが時間的に近接して相関しているか否かにかかわらず、また、これらのイベントおよびデータが１つのイベントおよびデータソースに由来するか、またはいくつかのイベントおよびデータソースに由来するかにかかわらず、新たなイベントまたはアクションの構築をもたらす。
【００４９】
図６は、ＭＩＭＯ通信において複数のレイヤについてＤＭ−ＲＳを送信することを容易にするモバイルデバイス６００の例示である。モバイルデバイス６００は、例えば受信アンテナ（図示せず）を介して信号を受信し、受信された信号に対して標準的なアクションを実行（例えば、フィルタ、増幅、ダウンコンバードなど）し、調整された信号をデジタル化してサンプルを取得する、受信機６０２を備える。受信機６０２は、受信されたシンボルを復調し、それらをチャネル推定のためにプロセッサ６０６に提供することのできる、復調器６０４を備えうる。プロセッサ６０６は、受信機６０２によって受信された情報を分析すること、および／または送信機６０８による送信のために情報を生成すること専用のプロセッサ、モバイルデバイス６００の１又は複数のコンポーネントを制御するプロセッサ、および／または、受信機６０２によって受信された情報を分析し、送信機６０８による送信のための情報を生成し、モバイルデバイス６００の１又は複数のコンポーネントを制御するプロセッサでありうる。
【００５０】
モバイルデバイス６００は、さらに、送信されるべきデータ、受信されたデータ、利用可能なチャネルに関連する情報、分析された信号および／または干渉強度に関連付けられたデータ、割り当てられたチャネル、電力、レート、またはそれらと同様のものに関連する情報、ならびにチャネルを推定し、そのチャネルによって通信するためのその他任意の適切な情報を格納できる、プロセッサ６０６に動作可能に結合された、メモリ６１０を備えることができる。メモリ６１０は、さらに、（例えば、性能ベース、キャパシティベースなどで）チャネルを推定および／または利用することに関連付けられたプロトコルおよび／またはアルゴリズムを格納することができる。
【００５１】
本明細書に説明されるデータ格納装置（例えば、メモリ６１０）は、揮発性メモリまたは不揮発性メモリのいずれかであるか、あるいは、揮発性メモリおよび不揮発性メモリの両方を含みうることが理解されるだろう。限定ではなく例示を目的として、不揮発性メモリは、読取専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含みうる。揮発性メモリは、外部キャッシュメモリとして動作するランダムアクセスメモリ（ＲＡＭ）を含みうる。限定ではなく例示を目的として、ＲＡＭは、同期ＲＡＭ（ＳＲＡＭ）、動的ＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、改良型ＳＤＲＡＭ（ＥＳＤＲＡＭ）、シンクリンクＤＲＡＭ（ＳＬＤＲＡＭ）、およびダイレクトラムバスＲＡＭ（ＤＲ ＲＡＭ）のような、多数の形態で利用可能である。主題のシステムおよび方法のメモリ６１０は、これらのメモリおよびその他任意の適切なタイプのメモリを備えることが意図されているが、それらに限定はされない。
【００５２】
プロセッサ６０６は、さらに、オプション的に、ＣＳインデックス受信コンポーネント２０６と同様でありうるＣＳインデックス受信コンポーネント６１２、ならびにＣＳ値導出コンポーネント２０８と同様でありうるＣＳ値導出コンポーネント６１４に、動作可能に結合されることができる。プロセッサ６０６は、また、オプション的に、ＯＣＣ決定コンポーネント２１０と同様でありうるＯＣＣ決定コンポーネント６１６、ならびにＤＭ−ＲＳ送信コンポーネント２１２と同様でありうるＤＭ−ＲＳ送信コンポーネント６１８に、動作可能に結合されることができる。モバイルデバイス６００は、さらに、例えば基地局や別のモバイルデバイスなどへの、送信機６０８による送信のために信号を変調する変調器６２０を備える。プロセッサ６０６から分離しているように図示されているが、ＣＳインデックス受信コンポーネント６１２、ＣＳ値導出コンポーネント６１４、ＯＣＣ決定コンポーネント６１６、ＤＭ−ＲＳ送信コンポーネント６１８、復調器６０４、および／または変調器６２０は、プロセッサ６０６または複数のプロセッサ（図示せず）の一部でありうることが理解されるべきである。それに加えて、例えば、ＤＭ−ＲＳ送信コンポーネント６１８は、ＯＣＣをＤＭ−ＲＳに適用する際に、変調器６２０を利用することができる。
【００５３】
図７は、ＭＵ−ＭＩＭＯ通信において、ＣＳインデックスまたはＯＣＣインデックスを１又は複数のデバイスにシグナリングすることを容易にするシステム７００の例示である。システム７００は、基地局７０２を備えており、該基地局７０２は、複数の受信アンテナ７０６（それらは、例えば上述のように、複数のネットワーク技術のものでありうる）を通じて１又は複数のモバイルデバイス７０４から（複数の）信号を受信する受信機７１０と、複数の送信アンテナ７０８（それらは、例えば上述のように、複数のネットワーク技術のものでありうる）を通じて１又は複数のモバイルデバイス７０４へと送信する送信機７２６とを有する、実質的に任意の基地局（例えば、フェムトセルやピコセルのような小型の基地局、中継ノード、モバイル基地局など）でありうる。それに加えて、１つの例では、送信機７２６は、有線フロントリンクによってモバイルデバイス７０４へと送信することができる。受信機７１０は、１又は複数の受信アンテナ７０６から情報を受信することができ、また、受信された情報を復調する復調器７１２に動作可能に関連付けられる。それに加えて、一例では、受信機７１０は有線バックホールリンクから受信することができる。復調されたシンボルは、図６に関して上述したプロセッサと同様のものでありうるプロセッサ７１４によって分析され、該プロセッサ７１４は、信号（例えば、パイロット）強度および／または干渉強度を推定することに関連する情報、（１又は複数の）モバイルデバイス７０４（または、異種基地局（図示せず））へと送信されるべきまたはそれらから受信されるべきデータ、および／または本明細書で示される様々なアクションおよび機能を実行することに関連するその他任意の適切な情報を格納する、メモリ７１６に結合される。
【００５４】
プロセッサ７１４は、さらに、オプション的に、ＣＳ選択コンポーネント３０８と同様のものでありうるＣＳ選択コンポーネント７１８と、ＯＣＣ選択コンポーネント３１０と同様のものでありうるＯＣＣ選択コンポーネント７２０と、ＤＣＩシグナリングコンポーネント３１２と同様のものでありうるＤＣＩシグナリングコンポーネント７２２とに結合される。さらに、例えば、プロセッサ７１４は、変調器７２４を使用して送信されるべき信号を変調し、送信機７２６を使用して変調された信号を送信することができる。送信機７２６は、Ｔｘアンテナ７０８を通じてモバイルデバイス７０４に信号を送信することができる。さらに、プロセッサ７１４から分離しているように図示されているが、ＣＳ選択コンポーネント７１８、ＯＣＣ選択コンポーネント７２０、ＤＣＩシグナリングコンポーネント７２２、復調器７１２、および／または変調器７２４は、プロセッサ７１４または複数のプロセッサ（図示せず）の一部でありうることが理解されるべきである。
【００５５】
図８を参照すると、複数の通信レイヤについてＤＭ−ＲＳを送信するシステム８００が示されている。例えば、システム８００は、基地局やモバイルデバイスなどの内部に少なくとも部分的に存在しうる。システム８００が、プロセッサ、ソフトウェア、またはそれらの組合せ（例えば、ファームウェア）によって実施される機能を表す機能ブロックでありうる、複数の機能ブロックを含むものとして表されていることが理解されるべきである。システム８００は、関連して動作しうる電気コンポーネントの論理グルーピング８０２を含む。例えば、論理グルーピング８０２は、複数の異なるレイヤの各々を通じてＤＭ−ＲＳを送信するためのＣＳインデックスを受信するための電気コンポーネント８０４を含みうる。例えば、ＣＳインデックスは、ＤＣＩにおいて受信されることができ、１つのＤＭ−ＲＳを送信することに関連しうる。さらに、論理グルーピング８０２は、ＣＳインデックスに少なくとも部分的に基づいてＤＭ−ＲＳの各々を送信するためのＣＳ値を決定するための電気コンポーネント８０６を備えうる。例えば、上述のように、電気コンポーネント８０６は、ＣＳインデックスに基づいて様々なＤＭ−ＲＳを送信するためのＣＳ値を計算することができる。
【００５６】
さらに、論理グルーピング８０２は、ＣＳインデックスに少なくとも部分的に基づいてＤＭ−ＲＳの各々のためのＯＣＣを決定するための電気コンポーネント８０８を備えうる。さらに、上述のように、電気コンポーネント８０８は、さらに、より上位のレイヤから受信された、設定されたＣＳ値に少なくとも部分的に基づいてＯＣＣを決定することができる。さらに、論理グルーピング８０２は、ＣＳ値およびＯＣＣにしたがってＤＭ−ＲＳを送信するための電気コンポーネント８１０を備えうる。上述のように、例えば、電気コンポーネント８１０は、ＯＣＣをＤＭ−ＲＳに適用することができ、該ＤＭ−ＲＳについて導出されたＣＳ値に対応するインデックスを用いて、ＯＦＤＭシンボルによって該ＤＭ−ＲＳを送信することができる。
【００５７】
例えば、電気コンポーネント８０４は、ＣＳインデックス受信コンポーネント２０６を含みうる。それに加えて、例えば、電気コンポーネント８０６は、一態様では、ＣＳ値導出コンポーネント２０８を含みうる。また、例えば、電気コンポーネント８０８は、一態様では、ＯＣＣ決定コンポーネント２１０を含みうる。さらに、電気コンポーネント８１０は、一態様では、ＤＭ−ＲＳ送信コンポーネント２１２を含みうる。追加的に、システム８００は、電気コンポーネント８０４、８０６、８０８、８１０に関連付けられた機能を実行するための命令群を保持するメモリ８１２を含みうる。メモリ８１２の外部にあるように示されているが、電気コンポーネント８０４、８０６、８０８、８１０の１又は複数がメモリ８１２内に存在しうることが理解されるべきである。
【００５８】
１つの例では、電気コンポーネント８０４、８０６、８０８、８１０は、少なくとも１つのプロセッサを備えることができ、あるいは、各電気コンポーネント８０４、８０６、８０８、８１０は、少なくとも１つのプロセッサの対応するモジュールであることができる。さらに、追加的または代替的な例では、電気コンポーネント８０４、８０６、８０８、８１０は、コンピュータ可読媒体を備えるコンピュータプログラム製品でありうる。その場合、各電気コンポーネント８０４、８０６、８０８、８１０は、対応する命令群および／またはコードでありうる。
【００５９】
図９を参照すると、ＭＵ−ＭＩＭＯ通信においてＣＳインデックスおよび／またはＯＣＣをデバイスにシグナリングするシステム９００が示されている。例えば、システム９００は、基地局やモバイルデバイスなどの内部に少なくとも部分的に存在しうる。システム９００が、プロセッサ、ソフトウェア、またはそれらの組合せ（例えば、ファームウェア）によって実施される機能を表す機能ブロックでありうる、複数の機能ブロックを含むものとして表されていることが理解されるべきである。システム９００は、関連して動作しうる電気コンポーネントの論理グルーピング９０２を含む。例えば、論理グルーピング９０２は、あるデバイスのためのＣＳインデックスを選択し、ＭＵ−ＭＩＭＯ通信において該デバイスとペアにされた異なるデバイスのための別のＣＳインデックスを選択するための電気コンポーネント９０４を含みうる。例えば、該デバイスおよび異なるデバイスは、異なる伝送帯域幅を有することができ、それらのデバイスのために異なるＣＳインデックスを使用することによって、依然として直交であることができる。さらに、論理グルーピング９０２は、該デバイスのためのＯＣＣを選択し、異なるデバイスのための異なるＯＣＣを選択するための電気コンポーネント９０６を含みうる。
【００６０】
例えば、同様のＣＳインデックスが該デバイスおよび異なるデバイスのために割り当てられる場合、それらのデバイスに異なるＯＣＣを使用することによって直交性を維持することができる。さらに、論理グルーピング９０２は、ＣＳインデックスまたはＯＣＣのインデックスを該デバイスにシグナリングし、別のＣＳインデックスまたは異なるＯＣＣの異なるインデックスを異なるデバイスにシグナリングするための電気コンポーネント９０８を備えうる。一例では、電気コンポーネント９０８は、ＣＳインデックス、ＯＣＣ、別のＣＳインデックス、および／または異なるＯＣＣをＤＣＩにおいてデバイスおよび異なるデバイスに送信することができる。例えば、一態様では、電気コンポーネント９０４は、ＣＳ選択コンポーネント３０８を含むことができ、電気コンポーネント９０６は、ＯＣＣ選択コンポーネント３１０を含むことができる。それに加えて、例えば、電気コンポーネント９０８は、一態様では、上述のように、ＤＣＩシグナリングコンポーネント３１２を含みうる。追加的に、システム９００は、電気コンポーネント９０４、９０６、９０８に関連付けられた機能を実行するための命令群を保持するメモリ９１０を含みうる。メモリ９１０の外部にあるように示されているが、電気コンポーネント９０４、９０６、および９０８の１又は複数がメモリ９１０内に存在しうることが理解されるべきである。
【００６１】
１つの例では、電気コンポーネント９０４、９０６、９０８は、少なくとも１つのプロセッサを備えることができ、あるいは、各電気コンポーネント９０４、９０６、９０８は、少なくとも１つのプロセッサの対応するモジュールであることができる。さらに、追加的または代替的な例では、電気コンポーネント９０４、９０６、および９０８は、コンピュータ可読媒体を備えるコンピュータプログラム製品でありうる。その場合、各電気コンポーネント９０４、９０６、および９０８は、対応する命令群および／またはコードでありうる。
【００６２】
ここで図１０を参照すると、本明細書に示される様々な実施形態による無線通信システム１０００が示されている。システム１０００は、複数のアンテナグループを含みうる基地局１００２を備える。例えば、１つのアンテナグループは、アンテナ１００４および１００６を含むことができ、別のグループは、アンテナ１００８および１０１０を備えることができ、追加的なグループは、アンテナ１０１２および１０１４を含むことができる。２つのアンテナが各アンテナグループについて示されているが、それよりも多いまたは少ないアンテナが各グループに利用されることができる。基地局１００２は、さらに、送信機チェーンおよび受信機チェーンを含むことができ、それらの各々は、理解されるように、信号の送信および受信に関連付けられた複数のコンポーネント（例えば、プロセッサ、変調器、マルチプレクサ、復調器、デマルチプレクサ、アンテナなど）を備えることができる。
【００６３】
基地局１００２は、モバイルデバイス１０１６およびモバイルデバイス１０２２のような１又は複数のモバイルデバイスと通信しうるが、基地局１００２が、モバイルデバイス１０１６および１０２２と同様の実質的に任意の数のモバイルデバイスと通信しうることが理解されるべきである。モバイルデバイス１０１６および１０２２は、例えば、セルラ電話、スマートフォン、ラップトップ、ハンドヘルド通信デバイス、ハンドヘルド・コンピューティング・デバイス、衛星ラジオ、グローバル測位システム、ＰＤＡ、および／または、無線通信システム１０００によって通信するためのその他任意の適切なデバイスでありうる。図示されたように、モバイルデバイス１０１６は、アンテナ１０１２および１０１４と通信しており、アンテナ１０１２および１０１４は、フォワードリンク１０１８を通じてモバイルデバイス１０１６に情報を送信し、リバースリンク１０２０を通じてモバイルデバイス１０１６から情報を受信する。さらに、モバイルデバイス１０２２は、アンテナ１００４および１００６と通信しており、アンテナ１００４および１００６は、フォワードリンク１０２４を通じてモバイルデバイス１０２２に情報を送信し、リバースリンク１０２６を通じてモバイルデバイス１０２２から情報を受信する。周波数分割複信（ＦＤＤ）システムでは、例えば、フォワードリンク１０１８は、リバースリンク１０２０によって使用されるのとは異なる周波数帯域を利用することができ、フォワードリンク１０２４は、リバースリンク１０２６によって用いられるのとは異なる周波数帯域を用いることができる。さらに、時分割複信（ＴＤＤ）システムでは、フォワードリンク１０１８およびリバースリンク１０２０は、共通の周波数帯域を利用することができ、フォワードリンク１０２４およびリバースリンク１０２６は、共通の周波数帯域を利用することができる。
【００６４】
アンテナの各グループおよび／またはそれらが通信するように指定されたエリアは、基地局１００２のセクタと呼ばれうる。例えば、アンテナグループは、基地局１００２によってカバーされるエリアのセクタ内のモバイルデバイスに対して通信するように設計されうる。フォワードリンク１０１８および１０２４による通信では、基地局１００２の送信アンテナは、ビームフォーミングを利用して、モバイルデバイス１０１６および１０２２に関するフォワードリンク１０１８および１０２４の信号対雑音比を改善することができる。また、基地局１００２が、ビームフォーミングを利用して、関連付けられたカバレッジにわたってランダムに散在するモバイルデバイス１０１６および１０２２に対して送信する間、隣接セル内のモバイルデバイスは、そのモバイルデバイスすべてに対して単一のアンテナによって送信している基地局に比べて、より少ない干渉を受ける可能性がある。さらに、モバイルデバイス１０１６および１０２２は、図示されたように、ピアツーピアまたはアドホック技術を使用して、互いに直接的に通信することができる。一例によれば、システム１０００は、多入力多出力（ＭＩＭＯ）通信システムでありうる。
【００６５】
図１１は、例示的な無線通信システム１１００を示す。簡略化のために、無線通信システム１１００は、１つの基地局１１１０および１つのモバイルデバイス１１５０を図示する。しかしながら、システム１１００が、１つよりも多くの基地局および／または１つよりも多くのモバイルデバイスを含むことができ、ここにおいて、追加的な基地局および／またはモバイルデバイスが、以下に説明される例示的な基地局１１１０およびモバイルデバイス１１５０と実質的に同様のもの、あるいはそれらとは異なるものでありうることが理解されるべきである。それに加えて、基地局１１１０および／またはモバイルデバイス１１５０は、本明細書で説明されるシステム（図１〜３および図７〜１０）、モバイルデバイス（図６）、および／または方法（図４〜５）を用いて、それらの間の無線通信を容易にすることができることが理解されるべきである。例えば、本明細書で説明されるシステムおよび／または方法の諸コンポーネントおよび諸機能は、以下に説明されるメモリ１１３２および／または１１７２またはプロセッサ１１３０および／または１１７０の一部であることができ、および／または、開示される機能を実行するためにプロセッサ１１３０および／または１１７０によって実行されることができる。
【００６６】
基地局１１１０において、複数のデータストリームのためのトラフィックデータが、データソース１１１２から送信（ＴＸ）データプロセッサ１１１４に提供される。一例によれば、各データストリームは、それぞれのアンテナによって送信されうる。ＴＸデータプロセッサ１１１４は、トラフィックデータストリームを、そのデータストリームのために選択された特定の符号化スキームに基づいて、フォーマット、符号化、およびインタリーブして、符号化されたデータを提供する。
【００６７】
各データストリームに関する符号化されたデータは、直交周波数分割多重化（ＯＦＤＭ）技術を使用してパイロットデータと共に多重化されうる。追加的にまたは代替的に、パイロットシンボルは、周波数分割多重化（ＦＤＭ）、時分割多重化（ＴＤＭ）、または符号分割多重化（ＣＤＭ）されることもできる。パイロットデータは、通常、既知のやり方で処理される既知のデータパターンであり、チャネル応答を推定するためにモバイルデバイス１１５０において使用されうる。各データストリームに関する多重化されたパイロットおよび符号化されたデータは、そのデータストリームのために選択された特定の変調スキーム（例えば、２相位相変調（ＢＰＳＫ）、４相位相変調（ＱＰＳＫ）、Ｍ相位相変調（Ｍ−ＰＳＫ）、多値直交振幅変調（Ｍ−ＱＡＭ）など）に基づいて変調（例えば、シンボルマッピング）されて、変調シンボルを提供することができる。各データストリームに関するデータレート、符号化、および変調は、プロセッサ１１３０によって実行または提供される命令群によって決定されうる。
【００６８】
データストリームに関する変調シンボルは、ＴＸ  ＭＩＭＯプロセッサ１１２０によって提供されることができ、該ＴＸ  ＭＩＭＯプロセッサ１１２０は、さらに、変調シンボルを（例えば、ＯＦＤＭのために）処理することができる。ＴＸ  ＭＩＭＯプロセッサ１１２０は、次いで、ＮＴ個の変調シンボルストリームをＮＴ個の送信機（ＴＭＴＲ）１１２２ａ〜１１２２ｔに提供する。様々な実施形態において、ＴＸ  ＭＩＭＯプロセッサ１１２０は、ビームフォーミング重みを、データストリームのシンボルと、そのシンボルの送信元であるアンテナとに適用する。
【００６９】
各送信機１１２２は、それぞれのシンボルストリームを受信および処理して、１又は複数のアナログ信号を提供し、該アナログ信号をさらに調整（例えば、増幅、フィルタ、およびアップコンバート）してＭＩＭＯチャネルによる伝送に適した変調された信号を提供する。さらに、送信機１１２２ａ〜１１２２ｔからのＮＴ個の変調された信号は、ＮＴ個のアンテナ１１２４ａ〜１１２４ｔからそれぞれ送信される。
【００７０】
モバイルデバイス１１５０において、送信された変調された信号は、ＮＲ個のアンテナ１１５２ａ〜１１５２ｒによって受信され、各アンテナ１１５２から受信された信号は、それぞれの受信機（ＲＣＶＲ）１１５４ａ〜１１５４ｒに提供される。各受信機１１５４は、それぞれの信号を調整（例えば、フィルタ、増幅、およびダウンコンバート）し、調整された信号をデジタル化してサンプルを提供し、さらに、サンプルを処理して、対応する「受信された」シンボルストリームを提供する。
【００７１】
ＲＸデータプロセッサ１１６０は、ＮＲ個の受信機１１５４からＮＲ個の受信されたシンボルストリームを受信し、それらを特定の受信機処理技術に基づいて処理して、ＮＴ個の「検出された」シンボルストリームを提供することができる。ＲＸデータプロセッサ１１６０は、検出された各シンボルストリームを復調、デインタリーブ、および復号して、データストリームについてトラフィックデータを回復することができる。ＲＸデータプロセッサ１１６０による処理は、基地局１１１０においてＴＸ  ＭＩＭＯプロセッサ１１２０およびＴＸデータプロセッサ１１１４によって実施されるものに対して相補的である。
【００７２】
リバースリンクメッセージは、通信リンクおよび／または受信されたデータストリームに関する様々なタイプの情報を備えうる。リバースリンクメッセージは、データソース１１３６から複数のデータストリームに関するトラフィックデータを受信することもする、ＴＸデータプロセッサ１１３８によって処理され、変調器１１８０によって変調され、送信機１１５４ａ〜１１５４ｒによって調整され、基地局１１１０に送り戻されうる。
【００７３】
基地局１１１０において、モバイルデバイス１１５０からの変調された信号は、アンテナ１１２４によって受信され、受信機１１２２によって調整され、復調器１１４０によって復調され、ＲＸデータプロセッサ１１４２によって処理されて、モバイルデバイス１１５０によって送信されたリバースリンクメッセージを抽出する。さらに、プロセッサ１１３０は、抽出されたメッセージを処理して、ビームフォーミング重みを決定するためにどのプリコーディングマトリクスを使用するかを決定することができる。
【００７４】
プロセッサ１１３０および１１７０は、それぞれ、基地局１１１０およびモバイルデバイス１１５０における動作を指示（例えば、制御、調整、管理など）しうる。それぞれのプロセッサ１１３０および１１７０は、プログラム命令群／コードおよびデータを格納するメモリ１１３２および１１７２に関連付けられうる。プロセッサ１１３０および１１７０は、また、それぞれ、アップリンクおよびダウンリンクについて周波数およびインパルス応答推定を導出するために計算を実行することができる。
【００７５】
本明細書に開示された実施形態に関連して説明された様々な例示的な論理、論理ブロック、モジュール、コンポーネント、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラマブル論理デバイス、ディスクリートゲートもしくはトランジスタ論理、ディスクリートハードウェアコンポーネント、または本明細書で説明された機能を実行するために設計されたそれらの任意の組み合わせを用いて実装または実施されうる。汎用プロセッサは、マイクロプロセッサでありうるが、代替例では、プロセッサは、従来の任意のプロセッサ、コントローラ、マイクロコントローラ、またはステートマシンでありうる。プロセッサは、また、コンピューティングデバイスの組合せ、例えば、ＤＳＰとマイクロプロセッサとの組み合わせ、複数のマイクロプロセッサ、ＤＳＰコアに接続された１つまたは複数のマイクロプロセッサ、またはその他の任意のこのような構成としても実現されうる。追加的に、少なくとも１つのプロセッサは、上記で説明されたステップおよび／またはアクションのうちの１又は複数を実行するように動作可能な１又は複数のモジュールを備えうる。例示的な記憶媒体は、プロセッサが該記憶媒体から情報を読み取り、該記憶媒体に情報を書き込むことができるように、プロセッサに結合されうる。代替的に、記憶媒体はプロセッサに一体化されうる。さらに、いくつかの態様では、プロセッサおよび記憶媒体は、ＡＳＩＣ内に存在しうる。追加的に、ＡＳＩＣはユーザ端末内に存在しうる。代替的に、プロセッサおよび記憶媒体は、ユーザ端末内にディスクリートコンポーネントとして存在しうる。
【００７６】
１又は複数の態様では、説明された複数の機能、方法、またはアルゴリズムは、ハードウェア、ソフトウェア、ファームウェア、またはそれら任意の組合せにおいて実現されうる。ソフトウェアにおいて実現される場合、それらの機能は、コンピュータプログラム製品に組み込まれうる、コンピュータ可読媒体上の１又は複数の命令群またはコードとして、記憶または送信されうる。コンピュータ可読媒体は、１つの場所から別の場所へのコンピュータプログラムの移動を容易にする任意の媒体を含むコンピュータ記憶媒体および通信媒体の両方を含む。記憶媒体は、コンピュータによってアクセスされうる任意の利用可能な媒体でありうる。限定ではなく、例として、このようなコンピュータ可読媒体は、ＲＡＭ、ＲＯＭ、ＥＥＰＲＯＭ、ＣＤ−ＲＯＭ、もしくは他の光学ディスク記憶装置、磁気ディスク記憶装置、またはその他の磁気記憶デバイス、または、望ましいプログラムコードを命令群もしくはデータ構造の形態で搬送又は格納するために使用されることができ、また、コンピュータによってアクセスされることのできる、その他任意の媒体を備えうる。本明細書で使用されるディスク（disk）およびディスク（disc）には、コンパクトディスク（ＣＤ）、レーザディスク、光学ディスク、デジタルバーサタイル・ディスク（ＤＶＤ）、フロッピー（登録商標）ディスク(disk)およびブルーレイ（登録商標）ディスクが含まれ、ここで、ディスク（disk）は、通常、データを磁気的に再生し、ディスク（disc）は、通常、レーザーを用いてデータを光学的に再生する。上記の組合せもまた、コンピュータ可読媒体の範囲内に含まれるべきである。
【００７７】
上記の開示は、例示的な諸態様および／または諸実施形態を論じているが、添付の特許請求の範囲によって定義される説明された態様および／または実施形態の範囲から逸脱することなく、本明細書において様々な変更および修正がなされうることに留意すべきである。さらに、説明された諸態様および／または諸実施形態の要素が単数形で説明または請求項に記載されうるが、単数形への限定が明示的に示されない限り、複数形が意図される。追加的に、任意の態様および／または実施形態のすべてまたは一部は、特に指定のない限り、その他任意の態様および／または実施形態のすべてまたは一部と共に利用されうる。
以下に、本願の出願当初請求項に記載された発明を付記する。
［Ｃ１］
下記を具備する、多入力多出力（ＭＩＭＯ）通信において復調基準信号（ＤＭ−ＲＳ）を多重化するための方法：
複数のレイヤを通じてＤＭ−ＲＳを送信するための巡回シフト（ＣＳ）インデックスを受信すること；
前記ＣＳインデックスに少なくとも部分的に基づいて、前記ＤＭ−ＲＳの各々を送信するためのＣＳ値および直交カバー符号（ＯＣＣ）を決定すること；および
前記ＣＳ値および前記ＯＣＣにしたがって、前記ＤＭ−ＲＳを送信すること。
［Ｃ２］
設定されたＣＳ値を受信することをさらに具備し、前記ＯＣＣを決定することはさらに、前記設定されたＣＳ値に少なくとも部分的に基づく、上記Ｃ１に記載の方法。
［Ｃ３］
前記ＯＣＣを決定することは、前記複数のレイヤのうちの少なくとも１つを通じた前記ＤＭ−ＲＳのうちの少なくとも１つについて異なるＯＣＣを決定することを含む、上記Ｃ１に記載の方法。
［Ｃ４］
前記ＯＣＣを決定することは、前記ＤＭ−ＲＳについて同じＯＣＣを決定することを含む、上記Ｃ１に記載の方法。
［Ｃ５］
前記ＣＳ値を決定することは、前記ＣＳインデックスまたは前記複数のレイヤの数に対応する予め定義されたルールに少なくとも部分的に基づく、上記Ｃ１に記載の方法。
［Ｃ６］
下記を具備する、多入力多出力（ＭＩＭＯ）通信において復調基準信号（ＤＭ−ＲＳ）を多重化するための装置：
少なくとも１つのプロセッサであって、
複数のレイヤを通じてＤＭ−ＲＳを送信するための巡回シフト（ＣＳ）インデックスを取得し、
前記ＣＳインデックスに少なくとも部分的に基づいて、前記ＤＭ−ＲＳの各々を送信するためのＣＳ値および直交カバー符号（ＯＣＣ）を決定し、
前記ＣＳ値および前記ＯＣＣにしたがって前記ＤＭ−ＲＳを送信する
ように構成された少なくとも１つのプロセッサ；および
前記少なくとも１つのプロセッサに結合されたメモリ。
［Ｃ７］
前記少なくとも１つのプロセッサはさらに、設定されたＣＳ値を取得するように構成され、前記少なくとも１つのプロセッサは、前記設定されたＣＳ値にさらに少なくとも部分的に基づいて前記ＯＣＣを決定する、上記Ｃ６に記載の装置。
［Ｃ８］
前記少なくとも１つのプロセッサは、少なくとも部分的に、前記複数のレイヤのうちの少なくとも１つを通じた前記ＤＭ−ＲＳのうちの少なくとも１つについて異なるＯＣＣを決定することによって前記ＯＣＣを決定する、上記Ｃ６に記載の装置。
［Ｃ９］
前記少なくとも１つのプロセッサは、少なくとも部分的に、前記複数のレイヤのうちの少なくとも１つを通じた前記ＤＭ−ＲＳのうちの少なくとも１つについて同じＯＣＣを決定することによって前記ＯＣＣを決定する、上記Ｃ６に記載の装置。
［Ｃ１０］
前記少なくとも１つのプロセッサは、前記ＣＳインデックスまたは前記複数のレイヤの数に対応する予め定義されたルールにさらに少なくとも部分的に基づいて前記ＣＳ値を決定する、上記Ｃ６に記載の装置。
［Ｃ１１］
下記を具備する、多入力多出力（ＭＩＭＯ）通信において復調基準信号（ＤＭ−ＲＳ）を多重化するための装置：
複数のレイヤを通じてＤＭ−ＲＳを送信するための巡回シフト（ＣＳ）インデックスを受信する手段；
前記ＣＳインデックスに少なくとも部分的に基づいて、前記ＤＭ−ＲＳの各々を送信するためのＣＳ値を決定する手段；
前記ＣＳインデックスに少なくとも部分的に基づいて、前記ＤＭ−ＲＳの各々を送信するための直交カバー符号（ＯＣＣ）を決定する手段；および
前記ＣＳ値および前記ＯＣＣにしたがって前記ＤＭ−ＲＳを送信する手段。
［Ｃ１２］
設定されたＣＳ値を取得する手段をさらに具備し、前記ＯＣＣを決定する手段は、前記設定されたＣＳ値にさらに少なくとも部分的に基づいて前記ＯＣＣを決定する、上記Ｃ１１に記載の装置。
［Ｃ１３］
前記ＯＣＣを決定する手段は、前記複数のレイヤのうちの少なくとも１つに関する前記ＤＭ−ＲＳのうちの少なくとも１つについて異なるＯＣＣを決定する、上記Ｃ１１に記載の装置。
［Ｃ１４］
前記ＯＣＣを決定する手段は、前記ＤＭ−ＲＳについて同じＯＣＣを決定する、上記Ｃ１１に記載の装置。
［Ｃ１５］
前記ＣＳ値を決定する手段は、前記ＣＳインデックスまたは前記複数のレイヤの数に対応する予め定義されたルールに少なくとも部分的に基づいて前記ＤＭ−ＲＳの各々を送信するための前記ＣＳ値を導出する、上記Ｃ１１に記載の装置。
［Ｃ１６］
下記を具備する、多入力多出力（ＭＩＭＯ）通信において復調基準信号（ＤＭ−ＲＳ）を多重化するコンピュータプログラム製品：
下記を具備するコンピュータ可読記憶媒体：
少なくとも１つのコンピュータに、複数のレイヤを通じてＤＭ−ＲＳを送信するための巡回シフト（ＣＳ）インデックスを取得させる命令群；
前記少なくとも１つのコンピュータに、前記ＣＳインデックスに少なくとも部分的に基づいて、前記ＤＭ−ＲＳの各々を送信するためのＣＳ値および直交カバー符号（ＯＣＣ）を決定させる命令群；および
前記少なくとも１つのコンピュータに、前記ＣＳ値および前記ＯＣＣにしたがって、前記ＤＭ−ＲＳを送信させるための命令群。
［Ｃ１７］
前記コンピュータ可読媒体は、前記少なくとも１つのコンピュータに、設定されたＣＳ値を取得させる命令群をさらに具備し、前記少なくとも１つのコンピュータに決定させる命令群は、前記設定されたＣＳ値にさらに少なくとも部分的に基づいて前記ＯＣＣを決定する、上記Ｃ１６に記載のコンピュータプログラム製品。
［Ｃ１８］
前記少なくとも１つのコンピュータに決定させる命令群は、少なくとも部分的に、前記複数のレイヤのうちの少なくとも１つを通じた前記ＤＭ−ＲＳのうちの少なくとも１つについて異なるＯＣＣを決定することによって前記ＯＣＣを決定する、上記Ｃ１６に記載のコンピュータプログラム製品。
［Ｃ１９］
前記少なくとも１つのコンピュータに決定させる命令群は、少なくとも部分的に、前記複数のレイヤのうちの少なくとも１つを通じた前記ＤＭ−ＲＳのうちの少なくとも１つについて同じＯＣＣを決定することによって前記ＯＣＣを決定する、上記Ｃ１６に記載のコンピュータプログラム製品。
［Ｃ２０］
前記少なくとも１つのコンピュータに決定させる命令群は、前記ＣＳインデックスまたは前記複数のレイヤの数に対応する予め定義されたルールにさらに少なくとも部分的に基づいて、前記ＣＳ値を決定する、上記Ｃ１６に記載のコンピュータプログラム製品。
［Ｃ２１］
下記を具備する、多入力多出力（ＭＩＭＯ）通信のための方法：
復調基準信号（ＤＭ−ＲＳ）のための巡回シフト（ＣＳ）インデックスを送信すること；
前記ＭＩＭＯ通信において複数のレイヤを通じて前記ＤＭ−ＲＳを受信することであって、前記ＤＭ−ＲＳの各々はＣＳ値および直交カバー符号（ＯＣＣ）に関連付けられており、前記ＣＳ値および前記ＯＣＣは前記ＣＳインデックスに少なくとも部分的に基づく、受信すること。
［Ｃ２２］
設定されたＣＳ値を送信することをさらに具備し、前記ＯＣＣはさらに、前記設定されたＣＳ値に少なくとも部分的に基づく、上記Ｃ２１に記載の方法。
［Ｃ２３］
下記を具備する、多入力多出力（ＭＩＭＯ）通信のための装置：
復調基準信号（ＤＭ−ＲＳ）のための巡回シフト（ＣＳ）インデックスを送信する手段；および
前記ＭＩＭＯ通信において複数のレイヤを通じて前記ＤＭ−ＲＳを受信する手段であって、前記ＤＭ−ＲＳの各々はＣＳ値および直交カバー符号（ＯＣＣ）に関連付けられており、前記ＣＳ値および前記ＯＣＣは前記ＣＳインデックスに少なくとも部分的に基づく、受信する手段。
［Ｃ２４］
設定されたＣＳ値を送信する手段をさらに具備し、前記ＯＣＣはさらに、前記設定されたＣＳ値に少なくとも部分的に基づく、上記Ｃ２３に記載の装置。
［Ｃ２５］
下記を具備する、多入力多出力（ＭＩＭＯ）通信のためのコンピュータプログラム製品：
下記を具備するコンピュータ可読記憶媒体：
少なくとも１つのコンピュータに、復調基準信号（ＤＭ−ＲＳ）のための巡回シフト（ＣＳ）インデックスを送信させるための命令群；および
前記少なくとも１つのコンピュータに、前記ＭＩＭＯ通信において複数のレイヤを通じて前記ＤＭ−ＲＳを受信させるための命令群であって、前記ＤＭ−ＲＳの各々はＣＳ値および直交カバー符号（ＯＣＣ）に関連付けられており、前記ＣＳ値および前記ＯＣＣは、前記ＣＳインデックスに少なくとも部分的に基づく、命令群。
［Ｃ２６］
前記コンピュータ可読記憶媒体は、前記少なくとも１つのコンピュータに、設定されたＣＳ値を送信させるための命令群をさらに具備し、前記ＯＣＣはさらに、前記設定されたＣＳ値に少なくとも部分的に基づく、上記Ｃ２５に記載のコンピュータプログラム製品。
［Ｃ２７］
下記を具備する、マルチユーザ多入力多出力（ＭＵ−ＭＩＭＯ）通信において、デバイスに対して巡回シフト（ＣＳ）インデックスまたは直交カバー符号（ＯＣＣ）をプロビジョニングするための方法：
第１のデバイスのための第１のＣＳインデックスまたは第１のＯＣＣを選択すること；
ＭＵ−ＭＩＭＯ通信において前記第１のデバイスとペアにされた第２のデバイスのための第２のＣＳインデックスまたは第２のＯＣＣを選択すること；
前記第１のＣＳインデックスまたは前記第１のＯＣＣのインデックスを前記第１のデバイスにシグナリングすること；および
前記第２のＣＳインデックスまたは前記第２のＯＣＣのインデックスを前記第２のデバイスにシグナリングすること。
［Ｃ２８］
前記第１および第２のデバイスは異なる伝送帯域幅を有する、上記Ｃ２７に記載の方法。
［Ｃ２９］
下記を具備する、マルチユーザ多入力多出力（ＭＵ−ＭＩＭＯ）通信において、巡回シフト（ＣＳ）インデックスまたは直交カバー符号（ＯＣＣ）をデバイスに対してプロビジョニングするための装置：
少なくとも１つのプロセッサであって、
第１のデバイスのための第１のＣＳインデックスまたは第１のＯＣＣを決定し、
ＭＵ−ＭＩＭＯ通信において前記第１のデバイスとペアにされた第２のデバイスのための第２のＣＳインデックスまたは第２のＯＣＣを決定し、
前記第１のＣＳインデックスまたは前記第１のＯＣＣのインデックスを前記第１のデバイスに送信し、
前記第２のＣＳインデックスまたは前記第２のＯＣＣのインデックスを前記第２のデバイスに送信する
ように構成された少なくとも１つのプロセッサ；および
前記少なくとも１つのプロセッサに結合されたメモリ。
［Ｃ３０］
下記を具備する、マルチユーザ多入力多出力（ＭＵ−ＭＩＭＯ）通信において、巡回シフト（ＣＳ）インデックスまたは直交カバー符号（ＯＣＣ）をデバイスに対してプロビジョニングするための装置：
第１のデバイスのための第１のＣＳインデックスと、ＭＵ−ＭＩＭＯ通信において前記第１のデバイスとペアにされた第２のデバイスのための第２のＣＳインデックスとを選択する手段；
前記第１のデバイスのための第１のＯＣＣと前記第２のデバイスのための第２のＯＣＣとを選択する手段；
前記第１のＣＳインデックスまたは前記第１のＯＣＣのインデックスを前記第１のデバイスにシグナリングし、前記第２のＣＳインデックスまたは前記第２のＯＣＣのインデックスを前記第２のデバイスにシグナリングする手段。
［Ｃ３１］
前記第１および第２のデバイスは異なる送信帯域幅を有する、上記Ｃ３０に記載の装置。
［Ｃ３２］
下記を具備するコンピュータ可読記憶媒体を備える、マルチユーザ多入力多出力（ＭＵ−ＭＩＭＯ）通信において、巡回シフト（ＣＳ）インデックスまたは直交カバー符号（ＯＣＣ）をデバイスに対してプロビジョニングするためのコンピュータプログラム製品：
少なくとも１つのコンピュータに、第１のデバイスのための第１のＣＳインデックスまたは第１のＯＣＣと、ＭＵ−ＭＩＭＯ通信において前記第１のデバイスとペアにされた第２のデバイスのための第２のインデックスまたは第２のＯＣＣとを決定させるための命令群；
前記少なくとも１つのコンピュータに、前記第１のＣＳインデックスまたは前記第１のＯＣＣのインデックスを前記第１のデバイスに送信させるための命令群；および
前記少なくとも１つのコンピュータに、前記第２のＣＳインデックスまたは前記第２のＯＣＣのインデックスを前記第２のデバイスに送信させるための命令群。
【図１】
0005639193.tif 000012
【図２】
0005639193.tif 000013
【図３】
0005639193.tif 000014
【図４】
0005639193.tif 000015
【図５】
0005639193.tif 000016
【図６】
0005639193.tif 000017
【図７】
0005639193.tif 000018
【図８】
0005639193.tif 000019
【図９】
0005639193.tif 000020
【図１０】
0005639193.tif 000021
【図１１】
0005639193.tif 000022